(57)【要約】フェンシングにおいて使用される武器のための発光キット（１）は、光源（６）と、源（６）によって生成される光（Ｌ）の少なくとも一の案内伝播部材（１０）と、拘束手段（１６）と、電源手段（１８）と、を備える。少なくとも一の案内伝播部材（１０）は、フェンシングで用いられる前記武器のブレード（９）に形成される溝（１１）に配置される。拘束手段（１６）は、前記溝（１１）内に伝播部材（１０）を固定して係合させる。電源手段（１８）は光源（６）に電気的に接続される。【選択図】図１
2019522551.tif 000002
【特許請求の範囲】
【請求項１】
フェンシングにおいて使用される武器のための発光キットであって、
光源（６）と、
前記源（６）によって生成される光を伝播する少なくとも一つの光（Ｌ）案内伝播部材（１０）であって、前記部材（６）がフェンシングにおいて用いられる前記武器（２）のブレード（９）に形成される溝（１１）内に収容される部材（１０）と、
前記溝（１１）内に前記伝播部材（１０）を安定して係合させるための拘束手段（１６）と、
前記光源（６）に電気的に接続される電源手段（１８）と、
を備えるキットにおいて、
前記光源（６）は、前記武器のハンドル（７）に配置可能な少なくとも一つのＬＥＤ（６ａ）を備え、
前記ＬＥＤ（６ａ）は、可視スペクトル内の電磁周波数を有する光（Ｌ）を生成し、
前記光案内伝播部材（１０）は、前記ブレード（９）に形成される前記溝（１１）の長手方向の延設部分に沿って延設される少なくとも一つの光ファイバ（１５）を備えており、
前記光ファイバ（１５）は、前記光源（６）に接続される第一端部（１５ａ）と、前記第一端部（１５ａ）とは反対側にあり前記ブレード（９）の先端（１４）に近接している第二端部（１５ｂ）と、を有しており、
前記拘束手段（１６）は、前記ファイバ（１５）によって伝播される前記光（Ｌ）を伝播するよう光放射に対して透光性である少なくとも一つの樹脂または接着剤を備えており、
前記樹脂接着剤は前記溝（１１）全体に沿って塗布されているキット。
【請求項２】
請求項１に記載のキットにおいて、
前記光ファイバ（１５）は前記ブレード（９）の長手方向の延設部分全体に沿って延設されており、
前記武器（２）はフルーレ（３）またはエペ（４）であるキット。
【請求項３】
請求項２に記載のキットにおいて、前記光ファイバ（１５）の長さは５５０ｍｍ〜８８０ｍｍであり、前記光ファイバ（１５）の断面の大きさは１ｍｍ〜３ｍｍであるキット。
【請求項４】
請求項３に記載のキットにおいて、前記光ファイバ（１５）は、対応する長手方向の面に沿って前記光（Ｌ）を伝播するキット。
【請求項５】
請求項１から４のいずれかに記載のキットにおいて、前記樹脂接着剤（１６）はさらに、環状経路に沿って前記光（Ｌ）を拡散するよう前記光ファイバ（１５）の前記第二端部（１５ｂ）の周囲に、かつ前記ブレード（９）の長手方向の延設軸と同軸状に配置される環状部（１７）を備えるキット。
【請求項６】
請求項１から５のいずれか一に記載のキットにおいて、手動スイッチを用いて、所定の電気信号に応じて前記光源（６）を作動及び停止させる処理ロジック・ユニット（２０）を備えるキット。
【請求項７】
請求項１から６のいずれか一に記載のキットにおいて、前記電源手段（１８）はユーザ（Ｕ）の衣服に連結可能な電池を備えるキット。
【請求項８】
フェンシングにおいて使用される武器のための発光方法であって、
光源（６）を提供する工程と、
前記源（６）によって生成される光を伝播する少なくとも一つの光（Ｌ）案内伝播部材（１０）を、フェンシングにおいて用いられる前記武器（２）のブレード（９）に形成される溝（１１）内に収容する工程と、
前記溝（１１）内に前記伝播部材（１０）をしっかりと拘束する工程と、
前記部材（１０）を通って伝播する光放射を生成するために前記光源（６）に電力を供給する工程と、
を含む方法において、
前記光源（６）を予め配置する前記工程は、前記武器（２）のハンドル（７）に少なくとも一つのＬＥＤ（６ａ）を配置することによって実行され、
前記ＬＥＤ（６ａ）は、可視スペクトル内の所定の電磁周波数を有する光（Ｌ）を生成し、
前記伝播部材（１０）を収容する前記工程は、前記ブレード（９）に形成される前記溝（１１）の長手方向の延設部分に沿って少なくとも一つの光ファイバ（１５）を提供することによって実行され、前記光ファイバ（１５）を第一端部（１５ａ）において前記光源（６）に接続し、
前記光放射を伝播する前記工程は、前記光ファイバ（１５）の長手方向面全体に沿って前記放射を拡散することにより達成される方法。
【請求項９】
請求項８に記載の方法において、
前記溝（１１）内に前記伝播部材（１０）を拘束する前記工程は、
前記光ファイバ（１５）上および前記溝（１１）の内に液状樹脂または接着剤（１６）を塗布する副工程と、
その後、前記樹脂接着剤を硬化して固体にする副工程と、
を含み、
前記樹脂接着剤は光放射に対して透光性である方法。
【請求項１０】
請求項９に記載の方法において、前記樹脂接着剤（１６）を塗布する前記工程は、環状経路に沿って前記光（Ｌ）を拡散するよう前記光ファイバ（１５）の前記第二端部（１５ｂ）の周囲に、かつ前記ブレード（９）の長手方向の延設軸と同軸状に配置される環状部（１７）を形成する副工程を含む方法。
【請求項１１】
請求項８〜１０のいずれかに記載の方法において、手動スイッチを用いて、所定の電気信号に応じて前記光源（６）を作動及び停止させる工程を含む方法。
【請求項１２】
ハンドル（７）と、
前記ハンドル（７）から延設されるブレード（９）と、
前記ブレード（９）と前記ハンドル（７）との間に配置されるガード（８）と、
を備えるスポーツ用武器において、
請求項１〜７の一以上に記載の発光キット（１）を備えるスポーツ用武器。
【請求項１３】
請求項１２に記載のスポーツ用武器において、断面が「Ｖ」字状輪郭であるブレード（９）を有するスポーツ用の剣（２）で構成されており、前記ブレードには前記ブレード（９）自体の延設部分に沿って延設される長手方向溝（１１）が形成されているスポーツ用武器。
【発明の詳細な説明】
【技術分野】
【０００１】
本発明は、フェンシングにおいて使用される武器のための発光キット及び方法、並びにスポーツで使用されるための武器に関する。
【０００２】
特に、本発明は、フェンシングにおいて使用される武器のための、すなわちフルーレ（ｆｏｉｌ）、エペ（ｓｗｏｒｄ）ならびにサーブル（ｓａｂｅｒ）のための発光キットおよびその発光方法に関する。
【０００３】
また本発明は、武器、特にエペまたはフェンシング等のスポーツ場面において用いられる種々のタイプの冷兵器（cold weapons）に関する。
【背景技術】
【０００４】
よく知られている通り、フェンシングにおいて使用される武器には、フルーレ、エペおよびサーブルが含まれる。全ての武器は、武器およびスポーツ特性に応じて形状が異なることがあるハンドルと、ハンドルからそれぞれの先端までの下側が傾斜しているブレードとで構成される。
【０００５】
ベルガード、つまり剣の鍔が、ハンドルとブレードとの間に延設される。ベルガードもまた、武器のタイプに応じて異なる形状を有し、選手の手を保護することができる。
【０００６】
特にフルーレの場合、ブレードは形状において略長方形の断面を持つ。
【０００７】
エペおよびサーブルの場合には、ブレードの断面が略扁平であり、「Ｖ」字状の輪郭である。特にサーブルの場合、断面の輪郭は一定ではなく、ベルガードに近い部分においては「Ｖ」字状であり、先端の近くの部分においては略扁平な「Ｉ」字状である。
【０００８】
また、サーブル・ブレードはより硬質であり、フルーレおよびエペにおいてブレードはより可撓性がある。フルーレおよびエペの他の共通の特徴は、武器がターゲットに当たるたびに閉じて通電が可能となるスイッチがブレード先端に配置されることにある。実際、これらの二つの分野においては、スコアは先端の突きにのみ割り当てられるが、サーブルの場合には、武器のブレードのどの部分が当たってもスコアが割り当てられる。
【０００９】
この理由で、フルーレおよびエペの両方ともが、ブレードの上面上に、ブレード先端に配置された前記スイッチをベルガード内に配置されるとともにハンドルに連結される電気コネクタに接続する電気ケーブルを収容するための長手方向の溝を有する。
【００１０】
一方、サーブルにおいては、ブレードとともに、選手が着用するジャケットが通電可能とされ、その結果、相手のジャケットと接触した場合に回路が閉じる。
【００１１】
いずれの場合においても、電気コネクタは次いで、競技領域に配置される光（及び音響）部材を用いてスコアの割り当てを検出するよう設計・配置される信号伝送システムに接続される。
【００１２】
一般に、スコアが割り当てられるたびに作動する異なる色の光電球がプラットフォーム（競技が行われる領域）に配置される。したがって、伝送システムは、プラットフォームの端部領域に向かって延設される選手のジャケットと係合するケーブルを通じて、コネクタから信号を送信する役割を担う。選手がプラットフォームの対応する端部に向かって後退する場合に過剰なケーブル長さを回収できる巻き取りシステムによって、ケーブルは低電圧に保持される。
【発明の概要】
【発明が解決しようとする課題】
【００１３】
しかしながら、上述したフェンシングで用いられる武器には大きな欠点がある。
【００１４】
これらの欠点は、主として「攻撃」段階の間に、選手によって高速で移動されるブレードを見せる能力と関係がある。その結果、武器の移動を見ることが難しく、したがって、その作用を理解するのが複雑となる。
【００１５】
観客が攻撃を追うことへの制限のように思えるこの欠点は、実は選手自身および試合管理者にとってはさらに重要である。
【００１６】
実際、選手に関する限り、可撓性でありしたがって連続的に振動するブレードの突然の移動によって、相手の移動を認識することがかなり困難となる。さらに、選手は、金属メッシュで形成された安全マスクを着用しているが、安全マスクは、一方では、剣士の顔を保護するという利点を有するが、しかしながら他方では、視界全体の邪魔となることを記載しておく。
【００１７】
さらに、試合管理者もまた、武器の作用の完全な理解の困難さにぶつかる。こういうわけで、フルーレおよびサーブルの分野におけるスポーツ規則に基づいて、同時突き（ｃｏｎｔｅｍｐｏｒａｒｙ  ｔｈｒｕｓｔ）の場合には、管理者は、スコアを割り当てるためにその作用を再現しなければならないことを記載しておく。したがって、格闘動作中のブレード経路を、詳細に、そして明瞭で疑いなく分析する必要がある。
【００１８】
したがって、本発明の目的は、上述の問題を解決することができるフェンシングにおいて使用される武器のためのキットおよびその発光方法を提供することにある。
【００１９】
特に、本発明の目的は、通常のプラクティス中にブレードをより見えやすくするフェンシングにおいて使用される武器のための発光キットを提供することにある。
【００２０】
さらに、本発明の目的は、フェンシングにおいて使用されるあらゆる武器に、すなわちフルーレ、エペおよびサーブルに、武器自体の構造を変更することなく用いることができる発光キットを提供することにある。
【００２１】
さらにまた、本発明の目的は、観客に、そして選手および試合管理者にもブレードの移動を明確に示すことができるフェンシングにおいて使用される武器のための発光方法を提供することにある。
【００２２】
本発明のさらなる目的は、構造上そして利用段階においてもともに簡単であり、加えて構成コストが低い発光キットおよび発光方式を提供することにある。
【００２３】
最後に、本発明のさらなる目的は、見えやすい、スポーツに使用される武器、好ましくはエペ等の冷兵器を提供することにある。
【課題を解決するための手段】
【００２４】
上述の技術課題および上記の目的は、添付の特許請求の範囲における一以上の請求項に記載した技術的特徴を備えるフェンシングにおいて使用される武器のための発光キット及び方法、並びにスポーツにおいて使用される武器によって十分に達成される。
【図面の簡単な説明】
【００２５】
本発明のさらなる特徴および利点は、以下の図面に示す、例示的であり他の形態を排除するものではなくしたがって限定するものではない、スポーツにおいて使用される発光キットおよび武器の好ましい実施形態から、より明らかとなろう。
【図１】スポーツにおいて使用される武器、特に本発明にかかる発光キットを有するとともに使用状態にあるフェンシングの剣の概略側面図を示す。
【図２】図１の構造的細部の斜視図を示す。
【図３】本発明にかかる発光キットを有する、フェンシングにおいて使用されるフルーレの斜視図を示す。
【図４】本発明にかかる発光キットを有する、フェンシングにおいて使用されるエペの斜視図を示す。
【図４ａ】は、本発明にかかる発光キットを有する図４のエペの、線ＩＶ−ＩＶに沿った断面図を示す。
【図５】本発明にかかる発光キットを有する、フェンシングにおいて使用されるサーブルの斜視図を示す。
【発明を実施するための形態】
【００２６】
添付の図面を参照して、フェンシングにおいて使用される武器２のための発光キットを参照符号１で概略的に示す。
【００２７】
なお、本発明を、フェンシングにおいて使用される武器２、すなわちフルーレ３（図３）、エペ４（図４）、サーブル５（図５）に適用可能であることを記載しておく。
【００２８】
本発明は、特にフェンシングにおいて使用されるエペ４の場合における利用において有用であるという利点がある。
【００２９】
より詳細には、キット１は、武器２のハンドル７に配置される好ましくは少なくとも一つのＬＥＤ６ａから構成される光源６を備える（図２）。
【００３０】
既知のタイプのものとして図２に単に概略的に示すＬＥＤ６ａは、可視スペクトル内の電磁周波数を有する光「Ｌ」を生成するよう構成される。この電磁周波数は特定の色の光を生成するよう、種々の要求に応じて予め決定される。このように、使用の最中には、二人の剣士「Ｕ」の武器２の光は、特定しやすくするために異なる色（例えば赤と青）とできる。
【００３１】
好ましくは、基本的に図２を参照して、源６は、武器２のベルガード８の内側領域に配置される。ベルガード８は、前記ハンドル７を剣のブレード９から分離している。
【００３２】
しかしながら、源６を、ブレードの外側の任意の領域に配置することもできる、またはユーザ「Ｕ」のジャケット「Ｇ」に連結することもできることを記載しておく。
【００３３】
またキット１は、源６によって生成される光「Ｌ」の少なくとも一つの案内伝播部材１０を有する。
【００３４】
このような部材１０は、好適には、武器２のブレード９上に形成される溝１１内に配置される。
【００３５】
なお、フルーレ３、エペ４およびサーブル５は、ブレード９面に延設される溝１１を有することを記載しておく。具体的には、フルーレ３およびエペ４の溝１１は、ブレード９の長手方向の延設部分全体に沿って延設されるが、サーブル５では溝１１は、ベルガード８に隣接しているブレード９の一部にのみ延設されている。
【００３６】
フルーレ３およびエペ４の溝１１内には、ブレード９の先端１４に配置されるスイッチ１３に接続される電気ケーブル１２（図４ａの断面図に示す）が延設される。先に記載した通り、このようなスイッチ１３によって、ターゲットに武器２の先端１４が達したときを示すことができる。
【００３７】
なお、図４ａの図においてエペ４のブレード９は、断面において「Ｖ」構成である。「Ｖ」構成によって、前記溝１１が形成される。
【００３８】
光「Ｌ」の案内伝播部材１０は、ブレード９に形成される溝１１の長手方向の延設部分に沿って延設される少なくとも一つの光ファイバ１５を備える。
【００３９】
光ファイバ１５は、光源６に接続される第一端部１５ａと、第一端部１５ａとは反対側にありブレード９の先端１４に近接している第二端部１５ｂと、を有する。
【００４０】
この場合、光ファイバ１５は、エペ４またはフルーレ３の好ましい例において、ブレード９の長手方向の延設部分全体に沿って延設される。サーブル５の例において、光ファイバ１５は、ブレード９に関して部分的にのみ延設される。
【００４１】
好適には、光ファイバ１５の長さは、サーブルにおいて５５０ｍｍであり、エペにおいては８８０ｍｍであり、加えてベルガード内の長さが１５０ｍｍである。断面における厚みは１〜３ｍｍの範囲にある。
【００４２】
さらに、光ファイバ１５は好ましくは、対応する長手方向の面全体に沿って光を伝播できるタイプである。
【００４３】
また、キット１は、溝１１内に伝播部材１０をしっかりと係合させるための拘束手段１６を有する。
【００４４】
拘束手段１６は、図４ａからよく分かる通り、ファイバ１５によって伝播される光「Ｌ」を伝播するよう光放射に対して透光性である少なくとも一の樹脂または接着剤を有する。好ましくは、拘束手段１６はＥＶＡ（エチレン酢酸ビニル）または反応性ポリウレタン・ベースの接着剤で形成される。
【００４５】
また拘束手段（樹脂または接着剤）は、ファイバ１５および電気ケーブル１２の両方が溝１１の内側に埋設されるよう、溝１１全体に沿って塗布される。こうして、ファイバ１５は、溝１１の内側にしっかりと係合された状態にある。
【００４６】
拘束手段（樹脂または接着剤）１６はさらに、環状経路に沿って光を拡散するよう光ファイバ１５の第二端部１５ｂの周囲に、かつブレード９の長手方向の延設軸と同軸状に配置される環状部１７を規定する。ブレード９の先端１４で拡散される光「Ｌ」は、ブレード９の四方に拡散されるので、より見えやすくなる利点がある。
【００４７】
また光源６は、既知のタイプの適当なケーブルを用いてＬＥＤ６ａに電気的に接続される電源手段１８に接続される。
【００４８】
好ましくは、電源手段１８（図１）は、ユーザ「Ｕ」のユニフォーム（ジャケットまたはズボン）「Ｇ」に連結可能な電池を備える。この場合、電気接続は、ベルガード８（図２）内に配置されるとともに信号伝送ケーブル１２の電気接続のために備えられるコネクタ１９を通じて実現される。なお、図２において、源６は前記コネクタ１９に適当に接続されることを記載しておく。
【００４９】
さらに、キット１は、手動スイッチ（添付の図面には示していない）を用いてそして所定の電気信号に応じて光源を作動／停止させる処理ロジック・ユニット２０を備える。
【００５０】
言い換えれば、ロジック・ユニットを用いて、ユーザ「Ｕ」は、源６がユーザの武器２を発光可能とするまたは発光不能とすることができる。
【００５１】
さらに、ロジック・ユニットは、源６を管理するための所定のソフトウェアに基づいて発光を管理する。こうして、第一の可能な動作では、光「Ｌ」は、攻撃の最中に、たとえ突きの後であっても、常時スイッチ・オンの状態にある。
【００５２】
また、ロジック・ユニット２０は、武器２による突き毎に、光「Ｌ」を自動的にオフにすることもできる。この場合、ユニット２０は、スイッチ１３によってまたはサーブル５のブレード９との電気的接触によって作動する突き割り当てシステムに適当に接続される。
【００５３】
あるいは、自動的スイッチ・オンを、突きの後にのみ行うことができる。この場合、攻撃中には光「Ｌ」は生成されない。
【００５４】
本発明はさらに、
光源６を提供する工程と、
源６によって生成される光「Ｌ」の少なくとも一つの案内伝播部材１０を武器２のブレード９上に形成される溝１１内に収容する工程と、
を含む、フェンシングにおいて使用される武器２のための発光方法に関する。
【００５５】
次に、伝播部材１０は、溝内にしっかりと拘束され、前記部材１０を通って伝播する光放射を生成するために電力が光源に供給される。
【００５６】
光源を配置する工程は、武器２のハンドル７に少なくとも一つのＬＥＤを配置することによって実行される。
【００５７】
こうして、ＬＥＤは、可視スペクトル内の所定の電磁周波数に応じて、それぞれの色に対応する光「Ｌ」を生成する。
【００５８】
伝播部材１０を収容する工程は、溝１１の長手方向の延設部分に沿って少なくとも一つの光ファイバ１５を提供することによって実行される。その後、ファイバ１５の第一端部１５ａは光源６に接続される。
【００５９】
その後、好適には、ＬＥＤによって生成される光「Ｌ」は、ファイバ１５に沿って通過しファイバ１５を通って外部に伝播する。
【００６０】
したがって、光「Ｌ」は、ファイバ１５の外面全体からそしてその長手方向の延設部分全体にわたって拡散する。
【００６１】
伝播部材１０を溝１１の内側に拘束する工程は、液相樹脂または接着剤１６を光ファイバ１５上にかつ溝１１の内側に塗布することにより実行される。
【００６２】
次に、樹脂接着剤１６は、溝１１の内側の光ファイバ１５およびケーブル１２をしっかり固定するために硬化し固体になる。樹脂接着剤１６は、溝１１の外部に向かって光「Ｌ」を透過しやすくなるよう光放射に対して透光性である。
【００６３】
さらに、樹脂接着剤１６は、環状経路に沿って光を拡散するよう光ファイバ１５の第二端部１５ｂの周囲に、かつブレード９の長手方向の延設軸と同軸状に配置される環状部１７を構成する。
【００６４】
そして、源６は、手動スイッチを用いて、所定の動作ロジックに応じて作動及び停止する。
【００６５】
特に、光「Ｌ」をスイッチ・オン状態に常時維持する、またはスイッチ・オン状態に常時維持し突きの後にのみオフにする、またはスイッチ・オフ状態に常時維持し突きの後に作動するよう、ロジック・ユニット２０は、源６の供給を管理する。
【００６６】
本発明は、従来技術の問題を解決し、多くの利点を有する。
【００６７】
第一に、キット１は、ブレード９を発光させ、攻撃段階の間に武器２をより見えやすくする。
【００６８】
ハイ・レベルの選手による典型的な武器さばきの速いスピードであっても、ブレード９を明瞭に視認でき、その移動を正しく認識することができる。
【００６９】
光「Ｌ」によるこの視認性の向上により、攻撃時に観客にだけでなく、試合管理者および個々の選手にも利点がある。
【００７０】
実際、試合管理者は、武器の移動を明瞭に見ることができ、突き動作をより正確にかつ直ちに捉えてスコアを割り当てることができる。
【００７１】
個々の選手にも、ブレード９から発する光「Ｌ」によって、マスクから受ける視認性の制約を凌ぐことにより相手の動作をより見えやすくすることができる。
【００７２】
さらに、武器２の構造を変更することなく、キット１を、フェンシングにおいて使用されるあらゆる武器２に、すなわちフルーレ２、エペ４およびサーブル５に適用できる。
【００７３】
実際、キット１部品はすべて、ブレード９に形成される溝１１またはベルガード８の内側領域等の武器２の所定の領域に適用することができる。この点に関して、このような部品は武器２の構造と干渉せず、したがって、武器の使用にどのような変更も加えないことを記載しておく。
【００７４】
最後に、本発明のさらなる利点は、容易に入手できる部品で構成できるキット１の単純な構造にあり、したがって、そのコストは非常に低いことにある。
【００７５】
また発光方法も、フェンシングにおいて使用される武器において、簡単かつすぐに、したがって低コストで実現できる。
【図１】
2019522551.tif 000003
【図２】
2019522551.tif 000004
【図３】
2019522551.tif 000005
【図４】
2019522551.tif 000006
【図４ａ】
2019522551.tif 000007
【図５】
2019522551.tif 000008
【国際調査報告】
2019522551.tif 000009
2019522551.tif 000010
2019522551.tif 000011